(57)【特許請求の範囲】
【請求項１】
樹脂モールド品になる本体ケースに各相の主回路端子，固定，可動接触子，消弧部、接触子開閉機構、および過電流引外し装置を組み込んで構成した回路しゃ断器であり、前記本体ケースが、各相の接触子，消弧部を組み込んだ下部ケースと、ケースの前後端に振り分けて配置した各相の電源側，負荷側主回路端子導出部，接触子開閉機構部，過電流引外し装置を搭載して前記下部ケースの上に嵌め合い式に重ね合わせた中間ケースと、中間ケースを覆う上部カバーとの組立体からなり、かつ下部ケースと中間ケースとの間，および中間ケースと上部カバーとの間に相間隔壁を形成して各相の間を仕切るようにしたものにおいて、
前記上部カバーに前記相間隔壁を一体形成するとともに、前記下部ケースに前記相間隔壁を一体形成し、前記中間ケースの上面側に前記上部カバーの相間隔壁の先端が嵌入し、かつ本体ケースの長手方向側の端面が閉じているポケット状の受け口を形成するとともに、前記中間ケースの下面側に前記下部ケースの相間隔壁が嵌まり合う凹溝部を形成したことを特徴とする回路しゃ断器。
【請求項２】
請求項１記載の回路しゃ断器において、中間ケースの側壁に外壁部を膨出形成し、該外壁部を上部カバーの側壁と下部ケースの側壁とで挟持したことを特徴とする回路しゃ断器。
【請求項３】
請求項１記載の回路しゃ断器において、上部カバーと下部ケースとで中間ケースを囲繞し、かつ上部カバーの側壁と下部ケースの側壁の端面を上下に突き合わせて本体ケースを組立てたことを特徴とする回路しゃ断器。
【請求項４】
請求項１記載の回路しゃ断器において、前記上部カバーと中間ケースとの間に形成した相間隔壁および受け口を、本体ケースの端面より前後に張出して形成したことを特徴とする回路しゃ断器。
【発明の詳細な説明】
【０００１】
【発明の属する技術分野】
本発明は、配線用回路しゃ断器、ないしは電動機の起動／停止，過電流保護用のモータブレーカなどを対象とした回路しゃ断器に関し、詳しくはその本体ケースの組立構造に係わる。
【０００２】
【従来の技術】
まず、橋絡形２接点方式の主回路接触子を備えた３相回路用の回路しゃ断器を例に、その従来例の組立構造を図５に示す。図において、１は下部ケース１ａ，上部カバー１ｂ，および中間ケース１ｃとの三分割構造になる樹脂モールド品の本体ケース、２は各相に対応する電源側の主回路端子、３は負荷側の主回路端子、４は主回路端子２の導体に連なる一方の固定接触子、５は他方の固定接触子、６は固定接触子４と５を橋絡する可動接触子、７は可動接触子ホルダ、７ａは接触ばね、８は可動接触子ホルダ７を開閉方向に案内支持するケージ、９は消弧板、１０は可動接触子６の駆動用開閉レバー、１１は開閉レバー１０を含めたトグル式の接触子開閉機構、１２は手動操作ハンドル、１３は短絡電流などに応動して瞬時動作する電磁形引外し装置１３ａ，および過負荷電流に応動して限時動作するバイメタル式の熱動形引外し装置１３ｂを組合せた過電流引外し装置であり、過電流引外し装置１３は固定接触子５と負荷側の主回路端子３との間に直列に介装接続されている。なお、過電流引外し装置１３の作動片１３ｃはトリップクロスバー，ラッチ受けを介して接触子開閉機構１１に連係している。
【０００３】
ここで、本体ケース１の下部ケース１ａには各相の接触子機構，消弧板が左右に並置して組み込まれており、各相の間をケースに一体成形した相間隔壁（バリア）で絶縁隔離している。また、上部カバー１ｂもその前後端部に相間隔壁を一体成形して各相の主回路端子２の間を絶縁隔離している。さらに、中間ケース１ｃは開閉機構部１１，および過電流引外し装置１３を搭載し、下部ケース１ａの上に嵌め込み式に重ねて組立てるようにしている。
【０００４】
かかる回路しゃ断器の動作は周知の通りであり、操作ハンドル１２をＯＮに投入すると開閉レバー１０が後退し、可動接触子６は接触ばね７ａの付勢によりホルダ７とともに上昇して固定接触子４，５に接触して閉極する。この閉極状態では、主回路電流が電源側の主回路端子２から固定接触子４→可動接触子６→固定接触子５→過電流引外し装置１３→負荷側の主回路端子３に流れる。また、操作ハンドル１２をＯＦＦ位置に反転移動すると、接触子開閉機構１１が開閉レバー１０を時計方向に駆動して可動接触子ホルダ７を押し下げる。これにより、可動接触子６が固定接触子４，５から開離して主回路接点が開極する。一方、主回路に過負荷電流，短絡電流が流れると、過電流引外し装置１３の動作で接触子開閉機構１０のラッチが釈放され、これにより開閉レバー１０が可動接触子６を開極方向に駆動して主回路電流をしゃ断する。
【０００５】
【発明が解決しようとする課題】
前記のように下部ケース１ａ，上部カバー１ｂ，中間ケース１ｃの三部品に分けて組立てた回路しゃ断器の本体ケース１では、ロボットによる自動組立方式への対応が可能な組立性，および本体ケースの堅牢性が確保でき、さらに各相の主回路端子間に規格で定められた相間絶縁耐力が確保できるような組立構造であることが要求される。
【０００６】
かかる点、前記した従来の本体ケース１では、下部ケース１ａ，上部カバー１ｂ，中間ケース１ｃごとに前記の各部品をあらかじめ組付けた上で、下部ケース１ａに上部カバー１ｂ，中間ケース１ｃの各部品を重ね合わせてその相互間をねじ締結した組立構造であり、各分割ケースには組合せ相手の分割ケースを所定の組立位置をセットする位置決め，保持手段を備えてない。このために、組立工程で下部ケース１ａの上に中間ケース１ｃ，上部カバー１ｂを順に重ね合わせる際の位置合わせ作業が面倒であるほか、ねじ締結前の段階では工程間の移送中に上下に重ね合わせてた各分割ケースが相対的にずれ動くおそれもある。また、分割ケースの寸法誤差，組立誤差などから、本体ケースの組立状態で相間隔壁の端面とこれに重なり合う相手部品との間に隙間が生じると、主回路端子の相間で所要の絶縁沿面距離が確保できなくなるといった問題もある。
【０００７】
本発明は上記の点に鑑みなされたものであり、その目的は前記課題を解決し、組立性，堅牢性に優れ、かつ主回路端子の相間で十分な絶縁性が確保できるように本体ケースの組立構造を改良した回路しゃ断器を提供することにある。
【０００８】
【課題を解決するための手段】
上記目的を達成するために、本発明によれば、樹脂モールド品になる本体ケースに各相の主回路端子，固定，可動接触子，消弧部、接触子開閉機構、および過電流引外し装置を組み込んで構成した回路しゃ断器で、前記本体ケースが、各相の接触子，消弧部を組み込んだ下部ケースと、ケースの前後端に振り分けて配置した各相の電源側，負荷側主回路端子導出部，接触子開閉機構部，過電流引外し装置を搭載して前記下部ケースの上に嵌め合い式に重ね合わせた中間ケースと、中間ケースを覆う上部カバーとの組立体からなり、かつ下部ケースと中間ケースとの間，および中間ケースと上部カバーとの間に相間隔壁を形成して各相の間を仕切るようにしたものにおいて、前記上部カバーに前記相間隔壁を一体形成するとともに、前記下部ケースに前記相間隔壁を一体形成し、前記中間ケースの上面側に前記上部カバーの相間隔壁の先端が嵌入し、かつ本体ケースの長手方向側の端面が閉じているポケット状の受け口を形成するとともに、前記中間ケースの下面側に前記下部ケースの相間隔壁が嵌まり合う凹溝部を形成する（請求項１）ものとし、その実施態様として次記のように構成することができる。
【０００９】
(1)中間ケースの側壁に外壁部を膨出形成し、該外壁部を上部カバーの側壁と下部ケースの側壁とで挟持する（請求項２）。
(2)上部カバーと下部ケースとで中間ケースを囲繞し、かつ上部カバーの側壁と下部ケースの側壁の端面を上下に突き合わせて本体ケースを組立てる（請求項３）。
(3)上部カバーに形成した相間隔壁，および中間ケースに形成した受け口を、本体ケースの端面より前後に張出して形成する（請求項４）。
【００１０】
上記の構成によれば、回路しゃ断器の組立工程で、下部ケースの上に中間ケースを嵌め合い式に重ねると、下部ケースの相間隔壁の上縁が中間ケースの底面側に形成した凹溝に嵌まり込んで組立位置に保持される。続いて中間ケースの上に上部カバーを上方から被着すると、上部カバーの相間隔壁の先端が中間ケースの上面側に形成した受け口に嵌入して位置決め保持される。これにより、組立工程での各分割ケースの位置合わせが簡単に行え、かつ各分割ケースを重ね合わせた状態では、下部ケース，上部カバーの相間隔壁が中間ケースの溝部に嵌合して組立位置に拘束し合うので、本体ケースの剛性が増して堅牢になるとともに、組立工程間の移送中に組立位置からずれ動いたりするおそれがない。しかも、相間隔壁はその先端が相手側部品である中間ケースの受け口，凹溝と重なり合うので、多少の寸法誤差を吸収して各相の主回路端子の間に必要な絶縁沿面距離を保持して高い絶縁性が確保できる。
【００１１】
【発明の実施の形態】
以下、本発明の実施の形態を図１〜図４に示す実施例に基づいて説明する。なお、各実施例の図中で図５に対応する部材には同じ符号を付してその詳細な説明は省略する。
【００１２】
図１において、１ａは下部ケース、１ｂは上部カバー、１ｃは中間ケースであり、図示されてないが図５で述べたように下部ケース１ａには可動接触子６の組立体，消弧板９（図５参照）が組み込まれ、中間ケース１ｃには電源側，負荷側の主回路導出端子２，３、および接触子開閉機構１１，過電流引外し装置１３が搭載されている。
【００１３】
ここで、下部ケース１ａには、各相の間を仕切るようにケース底面から起立するリブ状の相間隔壁１ａ-1が一体形成されている。なお、１ａ-2はケースの前後端面に開口した消弧室に通じるガス抜き穴である。また、上部カバー１ｂの内方にはその前後の領域に相間隔壁１ｂ-1が形成されており、かつこの相間隔壁１ｂ-1は前後端がカバーの端面から突き出している。なお、カバーの上面には接触子開閉機構１１の上端が突き出るように窓穴１ｂ-2が開口している。
【００１４】
一方、中間ケース１ｃの上面側には、図３に示す本体ケース１の組立状態で上面カバー１ｂの相間隔壁１ｂ-1の先端が嵌入するポケット状の受け口１ｃ-1が形成されている。この受け口１ｃは図示のように前端が閉じており、上部カバー１ｂの相間隔壁１ｂ-1の突き出し寸法に合わせてケース端面から張出している。また、下面側には下部ケース１ａの相間隔壁１ａ-1の上縁が嵌まり込む凹溝１ｃ-3が長手方向に沿って形成されている。さらに、後部側（負荷側）の側壁には下部ケース１ａの切欠き部１ａ-3と上部カバー１ｂの切欠き部１ｂ-3の形状に対応する外壁部１ｃ-4を膨出形成し、図３に示す組立状態では下部ケース１ａ，上部カバー１ｂの側壁に中間カバー１ｃの前記外壁部１ｃ-4が入り組んで本体ケース１の平坦な側壁面を形成するようにしている。なお、図１において、１ｃ-5は主回路端子の端子台であり、ここに図５で示した端子導体，端子ねじが引出し設置される。
【００１５】
そして、回路しゃ断器の組立工程では、まず下部ケース１ｂに中間ケース１ｃを上方から嵌め合わせて定位置に重ねる。これにより、下部ケース１ａの相間隔壁１ａ-1の上縁が中間ケース１ｃの凹溝１ｃ-3に嵌入して両者間が結合する。次に、上方から上部カバー１ｂを被着し、その相間隔壁１ｂ-1を中間ケース１ｃの受け口１ｃ-1に嵌入して所定の組立位置に拘束する。これにより、図３に示した組立状態となる。なお、図３の組立状態から締結ねじ（図示せず）で上部カバー１ｂと下部ケース１ａの間を固定する。
【００１６】
上記の説明で判るように、図示実施例の組立構造によれば、下部ケース１ａ，上部カバー１ｂ，中間ケース１ｃの三つの分割ケースが互いに入り組んで所定の組立位置を保持するので、組立工程における分割ケース相互間の位置合わせ，および組立性が向上するとともに、組立状態での本体ケースの剛性が増す。また、各相の間を隔離している相間隔壁１ａ-1，１ｂ-1は、組立状態でその先端が中間ケース１ｂの受け口１ｃ-1，凹溝１ｃ-3に嵌入してその壁面が左右の方向で重なり合っていることから、隣合う主回路端子の間の実効的な絶縁沿面距離が増して高い相間絶縁耐力が確保できる。この場合に、図示例のように相間隔壁１ｂ-1，およびその受け口の端部１ｃ-2を本体ケース１の端面から前後に張り出すようにすることで、相間の絶縁沿面距離がさらに大きくなる。
【００１７】
図２は応用実施例を示すものであり、この実施例では主回路端子導出部の相間絶縁を優先して、中間ケース１ｃの上面側に形成した相間隔壁の受け口１ｃ-1が端子台１ｃ-5を囲む領域に限定して形成されている。なお、図示してないが、図２の受け口１ｃ-1の長さサイズに合わせて上部カバー１ｂの相間隔壁の長さ寸法も設定するものとする。
【００１８】
図４はさらに異なる応用実施例の組立状態を表した図である。この実施例では、中間ケースは下部ケース１ａと上部カバー１ｂに包囲されてその内方に組み込まれており、図示のように直線的な突き合わせ面Ａに沿って下部ケース１ａと上部カバー１ｂの側壁端面を重ね合わせるようにしている。つまり、図１で述べた中間ケース１ｃの側壁から膨出する外壁部１ｃ-4, 下部ケース１ａの切欠き部１ａ-3，上部カバー１ｂの切欠き部１ｂ-3は形成されてなく、そのほかの構造は図１と同様である。
【００１９】
【発明の効果】
以上述べたように、本発明の構成によれば、樹脂モールド品になる本体ケースを下部ケース，上部カバー，中間ケースの３部品に分割してしゃ断器の各部品を組み込んだものにおいて、前記上部カバーに前記相間隔壁を一体形成するとともに、前記下部ケースに前記相間隔壁を一体形成し、前記中間ケースの上面側に前記上部カバーの相間隔壁の先端が嵌入し、かつ本体ケースの長手方向側の端面が閉じているポケット状の受け口を形成するとともに、前記中間ケースの下面側に前記下部ケースの相間隔壁が嵌まり合う凹溝部を形成したことにより、回路しゃ断器の組立工程では、下部ケースと中間ケースとの間，上部カバーと中間ケースとの間の相間隔壁がそれぞれ前記凹溝，受け口に嵌まり込んで組立位置に拘束保持される。したがって、組立工程での各分割ケースの位置合わせが簡単に行え、かつ組立状態での本体ケースの剛性が増加するとともに、各相の主回路端子の間の絶縁沿面距離が増加して絶縁性が向上するなどの効果が得られる。
【図面の簡単な説明】
【図１】本発明の実施例の構成を示すしゃ断器本体ケースの分解斜視図
【図２】本発明の応用実施例による中間ケースの構成斜視図
【図３】図１，図２の実施例による本体ケースの組立状態を表す外形図
【図４】本発明のさらに異なる応用実施例による本体ケースの組立状態を表す外形図
【図５】橋絡形２接点形回路しゃ断器の従来例の組立構造図
【符号の説明】
１    本体ケース
１ａ  下部ケース
１ａ-1  相間隔壁
１ｂ  上部カバー
１ｂ-1  相間隔壁
１ｃ  中間ケース
１ｃ-1  受け口
１ｃ-3  凹溝
２，３  主回路端子
６    可動接触子
９    消弧板
１１    接触子開閉機構
１３    過電流引外し装置
【図１】
0003997664.tif 000002
【図２】
0003997664.tif 000003
【図３】
0003997664.tif 000004
【図４】
0003997664.tif 000005
【図５】
0003997664.tif 000006